(57)【要約】【課題】  結線格子網を支柱に取付けたフェンスであって、地面に打ち込んだ鋼管基礎にモルタルを使用することなく支柱を嵌めた支柱支持構造の提供。【解決手段】  鋼管基礎３には中心を通って水平配置したピンの両端を側壁に固定し、一方、支柱の下端から所定の距離にツバを設け、また下端から中心軸に沿って２本の切欠き溝を切込み、両切欠き溝の上端から垂直に屈曲して係合溝を対称に延ばし、そして、支柱を鋼管基礎に挿入して該鋼管基礎に取着したピンを切欠き溝に嵌めると共にツバを鋼管基礎の上端に当接し、そして、支柱を回転してピンを上記係合溝に係合して外れないように固定している。【選択図】    図６
2012036670.tif 000002
【特許請求の範囲】
【請求項１】
地面に打ち込んだ鋼管基礎に支柱を嵌め、この支柱に結線格子網を取付けたフェンスであって、上記結線格子網が取付けられる支柱の支持構造において、上記鋼管基礎には中心を通って水平に配置したピンの両端を側壁に固定し、一方、支柱の下端から所定の距離にツバを設け、また下端から中心軸に沿って２本の切欠き溝を対称に切込み、両切欠き溝の上端から垂直に屈曲して係合溝を対称に延ばし、この支柱を鋼管基礎に挿入して該鋼管基礎に取着したピンを切欠き溝に嵌めると共にツバを鋼管基礎の上端に当接し、そして、支柱を回転してピンを上記係合溝に係合して外れないように固定したことを特徴とするフェンスの支柱支持構造。
【請求項２】
地面に打ち込んだ鋼管基礎に支柱を嵌め、この支柱に結線格子網を取付けたフェンスであって、上記結線格子網が取付けられる支柱の支持構造において、上記鋼管基礎には中心を通って水平に配置したピンの両端を側壁に固定し、一方、支柱の下端から所定の距離にツバを設け、また下端から中心軸に沿って切欠き溝１８ａ，１８ａを対称に切込み、両切欠き溝１８ａ，１８ａの上端から垂直に屈曲して円周方向へ延びる切欠き溝１８ｂ，１８ｂを形成し、そして該切欠き溝１８ｂ，１８ｂ先端から上方へ延びる切欠き溝１８ｃ，１８ｃを設け、さらに該切欠き溝１８ｃ，１８ｃ上端から垂直に屈曲して円周方向へ延びる切欠き溝１８ｄ，１８ｄを形成し、そして該切欠き溝１８ｄ、１８ｄ先端から上方へ延びる係合溝１９，１９を形成したもので、この支柱を鋼管基礎に挿入して該鋼管基礎に取着したピンを切欠き溝に嵌めると共にツバを鋼管基礎の上端に当接し、そして、支柱を回転してピンを上記係合溝に係合して外れないように固定したことを特徴とするフェンスの支柱支持構造。
【請求項３】
上記ピンの両端を鋼管基礎に設けた穴に嵌めて溶接した請求項１、又は請求項２記載のフェンスの支柱支持構造。
【発明の詳細な説明】
【技術分野】
【０００１】
本発明は敷地内への人、又は野獣などの侵入を防止する為に設置されるフェンスの支柱支持構造に関するものである。
【背景技術】
【０００２】
山地に近い農地や果樹園では、イノシシやクマ、シカなどが出没して作物に甚大な被害を受けている地域がある。特に、農家では付加価値の高い作物、例えばミカン、ぶどう、びわ、栗、メロン、西瓜等の栽培には力を入れており、収穫期にこれらを食い荒らされると、農家では大きな痛手となる。
【０００３】
このような農作物を荒らすイノシシやクマは罠等を設置したり、捕獲隊を動員して捕獲しているが、人手がかかり、十分な対策はなされていない。しかも、近年では動物愛護の世界的な高まりの中で、そのような対策をとることは、動物愛護団体その他の各方面から批判が出てくる可能性もある。
【０００４】
一方、猪等の野獣を農地から撃退するために電気牧柵器が従来より使用されてきた。これは、農地の回りに裸電線を張り巡らし、裸電線に高い電圧のパルスを加えて、裸電線に触れた野獣に電撃を与え、以後は裸電線に近づかなくなるという習性を利用したものである。
【０００５】
特開平６−２２５６８０号に係る「猿害防止装置」は、猿の侵入を防止すべき境界線に沿って所定間隔で立設された支柱と、これらの支柱間に張設されたネットと、このネットの上部に架設され前記支柱により垂直ないし斜め方向に所定間隔を隔てて電気的に絶縁された状態で支持された裸電線と、同裸電線に衝撃電流を流す電源装置とを備えた猿害防止装置である。
【０００６】
特開２００９−１０６２１５号に係る「獣害防止電気柵」は、獣害防止電気柵を改善して、猿等の動物がより感電しやすい構造としている。
そこで、所定間隔で立設された複数の支柱と、各支柱間に張設された導電性のネットフェンスと、各支柱間においてネットフェンスの上縁から所定の高さ位置までを覆うようにネットフェンスの柵外側に張設された不透明のシートと、柵外側においてシートの面に対して垂直な方向に所定の距離だけ離隔して水平方向に架設された少なくとも１本の電線と、少なくとも１本の電線とネットフェンスの間に高電圧を印加する手段と、を備えた獣害防止電気柵である。
【０００７】
従来の一般的なフェンスは所定の間隔を隔てて複数本の支柱が起立し、これら支柱にネットが取付けられている。ネットは複数本の縦線材と複数本の横線材が互いにクロスして形成され、網目が縦横方向に作られている。そして、横線材が支柱に金具を介して固定される。金具の形態は色々あるが、一般的には先端がＵ形を成したネジであり、横線材はＵ形金具に係合して支柱との間に挟まれてネジ止めされる。
【０００８】
ところで、上記支柱は鋼管基礎の穴に嵌って起立しているが、鋼管基礎は地面に打ち込まれて固められている。そして、鋼管基礎に嵌った支柱は外れないようにモルタルを詰めて固定される。すなわち、鋼管基礎の穴と支柱の隙間にモルタルが詰められて固定しているが、このモルタル詰めの作業は非常に面倒である。従って、１本の支柱を取付ける作業工数は大きくなり、施工費が嵩む結果となる。特に、モルタルの持ち運びも面倒であり、山中ともなれば重労働となる。
【０００９】
また、鋼管基礎の穴と支柱間にモルタルを詰めて該支柱を起立させるが、モルタルが片寄ることで全ての支柱が垂直に起立することは容易でなく、僅かに傾斜する場合もある。
【特許文献１】特開平６−２２５６８０号に係る「猿害防止装置」
【特許文献２】特開２００９−１０６２１５号に係る「獣害防止電気柵」
【発明の開示】
【発明が解決しようとする課題】
【００１０】
このように、従来のフェンスを支える支柱の支持構造には上記のごとき問題がある。本発明が解決しようとする課題はこの問題点であり、鋼管基礎に支柱を嵌めて取付けるに当って従来のようなモルタルを使用することなく、垂直に正しく起立することが出来、しかも外れる虞のないフェンス支柱の支持構造を提供する。ここで、フェンスの具体的な構造は限定せず、またフェンスに侵入しようとする動物が感電する裸電線を張設するか否か自由である。
【課題を解決するための手段】
【００１１】
本発明に係るフェンスを支える支柱の支持構造は、従来と同じように鋼管基礎に支柱の下端部を嵌めて構成しているが、従来のようにモルタルを使用しない。そこで、鋼管基礎は地面に打ち込まれて固定され、上端から所定の位置には中心を通るピンが径方向に取着されている。すなわち、ピンは中心を通って貫通した穴に先端が嵌って溶接などで固定される。ここで、該フェンスの具体的な構造に関しては限定しない。
【００１２】
そして、支柱の下端部は上記鋼管基礎に嵌り、鋼管基礎に取着した上記ピンに係合して外れないようにしている。そこで、支柱の下端から２本の切込み溝を軸に平行を成して設け、該切込み溝の先端（上端）には垂直に屈曲して円周方向へ延びる係合溝を形成している。従って、支柱を鋼管基礎に嵌めると共にピンを切欠き溝に挿入し、ピンが切欠き溝の上端に達したところで支柱を回転するならば該ピンは係合溝に係合することが出来、外れないように固定される。そして、支柱にはツバが形成されて、鋼管基礎には所定の長さ分が嵌り、ツバは鋼管基礎の上端に当接して支柱を支える。ただし、該切欠き溝及び係合溝の形状は限定しないことにする。
【発明の効果】
【００１３】
本発明の支柱は鋼管基礎に嵌り、該支柱の下端から切込んだ切欠き溝を通過して係合溝にピンが係合することが出来る。従って、支柱は鋼管基礎に嵌って固定され、外れないようになり、支柱にはフェンスが取付けられるが、該支柱に形成したツバが鋼管基礎の上端に当って支持される。そして、従来のようにモルタルを鋼管基礎との隙間に詰める必要はなく、鋼管基礎に嵌った支柱はガタ付くことなく安定し、しかも鋼管基礎に対して傾斜することなく起立することが出来る。
【００１４】
フェンスは平地に設けた農地や果樹園に設置されるだけでなく、山間部を切り開いて設けた高速道路へのイノシシやクマ、シカなどの侵入防止柵として使用する場合も多く、特に山間部に設置する場合には鋼管基礎に嵌めた支柱を固定する為のモルタルを現場へ運搬する必要がなく、作業性が大きく向上する。すなわち、地面に打ち込んだ鋼管基礎に支柱を嵌めるだけで取付け出来る。
【図面の簡単な説明】
【００１５】
【図１】本発明の支柱支持構造を備えたフェンスの実施例。
【図２】結線格子網を支柱に取付けるフック金具の具体例。
【図３】フック金具によって結線格子網を支柱に固定した実施例。
【図４】鋼管基礎の実施例。
【図５】支柱の実施例。
【図６】本発明に係る支柱支持構造を示す実施例。
【図７】本発明に係る支柱支持構造を示す他の実施例。
【発明を実施するための形態】
【００１６】
図１はフェンスを表している実施例であり、同図の１は結線格子網、２は支柱、３は鋼管基礎をそれぞれ示している。基本的なフェンス構造は従来と同じであり、地面に打ち込んで固定した鋼管基礎３に支柱２の下端部を嵌めて起立し、この支柱２に結線格子網１を取付けている。該支柱２，２・・・は一定間隔で設けられ、結線格子網１はフック金具を介して取付けられる。該結線格子網１はフェンスの１具体例であり、他の形態とする場合もある。
【００１７】
ここで、しかも結線格子網１の具体的な網目構造は限定せず、また結線格子網１を支柱２に取付けるフック金具の形態も自由である。図１に示す結線格子網１は複数本の縦線材９，９・・・と複数本の横線材８，８・・・にて構成している。そして縦線材９，９・・・は一定間隔で配列し、横線材８，８・・・は下側の間隔は小さく、上側の間隔は粗くなって配列している。
【００１８】
図２はフック金具４を示す具体例であり、フック５はＵ字状に湾曲しており、基部６の先端側にはネジ部１１が形成されている。そして、ネジ部１１が形成されている基部６にはナット７が螺合している。図３は該フック金具４を用いて結線格子網１を支柱２に固定している場合である。
【００１９】
結線格子網１を構成している横線材８をＵ字状のフック５に係止し、支柱側面１０との間に挟み込むことが出来る。すなわち、支柱２には穴が貫通し、この穴に基部６が挿通されると共にナット７をネジ部１１に螺合するならば、フック５に係止した横線材８は支柱側面１０との間に挟まれる。ここで、支柱２のフック側にはフック先端が嵌る別の穴も形成されていて、ナット７を締付けた場合のフック５の回転を防止している。
【００２０】
図４は鋼管基礎３を示す実施例であり、所定の長さと外径を有すパイプとして構成している。そして、上端１２から所定の距離にピン１３が取着され、このピン１３は鋼管の中心を通って径方向に延び、ピン１３の両端は側壁１４に設けた穴に嵌って溶接されている。勿論、該ピン１３の固定手段は溶接に限るものではなく、側壁１４を貫通してピン１３の先端を延ばし、先端部にネジ部を設け、このネジ部にナットを締め付けて固定してもよい。従って、この場合のピン１３としてはボルトを用いることが出来る。一方端はボルト頭で穴から抜けないように止着し、他方端にナットを螺合して締め付け固定することが出来る。
【００２１】
図５は支柱２の下端部を表している実施例である。該支柱２の外径は上記図４に示した鋼管基礎３に嵌ることが出来る大きさとし、下端から所定の距離にツバ１５を設けている。ツバ１５は支柱側面より外径を一回り大きくしたリング体であって、支柱側面に溶接されている。従って、支柱２が鋼管基礎３に嵌り、ツバ１５は鋼管基礎３の上端１２に当って支えられる。
【００２２】
すなわち、ツバ１５より下端部が鋼管基礎３に嵌り、該ツバ１５が鋼管基礎３の上端１２に当って支持される。そして、支柱２の下端には２本の切欠き溝１６ａ，１６ｂが中心軸に沿って対称に切欠かれ、さらに切欠き溝１６ａ，１６ｂの先端（上端）から垂直に屈曲して係合溝１７ａ，１７ｂが円周方向に延びている。この係合溝１７ａ，１７ｂも中心軸に対して対称を成している。すなわち、Ｌ形をした切欠き溝１６と係合溝１７は支柱下端部両側に中心軸に対して軸対称を成して形成されている。
【００２３】
ところで、支柱２を鋼管基礎３に挿入して該鋼管基礎３に取着しているピン１３を切欠き溝１６ａ，１６ｂに嵌め、ピン１３が切欠き溝１６ａ，１６ｂの上端に達したところで支柱２を回転して該ピン１３を係合溝１７ａ，１７ｂに係合することが出来る。従って、支柱２はピン１３を介して鋼管基礎３から抜けないように固定される。この場合、支柱２に設けたツバ１５は鋼管基礎３の上端１２に当接し、荷重がピン１３に作用することはない。
【００２４】
このように、鋼管基礎３に嵌って起立した支柱２に結線格子網１が取付けられると支柱２が回転することはなく、その為に係合溝１７ａ，１７ｂがピン１３から外れて該支柱２が鋼管基礎３から抜けることはない。図６は鋼管基礎３に支柱２が嵌って起立した状態を表している。このように、該支柱２の下端部にツバ１５を設けると共にＬ形をした切欠き溝１６と係合溝１７を形成することで、鋼管基礎３に嵌めるだけで抜けないように取付け出来る。
【００２５】
図７は鋼管基礎３に支柱２が嵌って起立した他の実施例を表している。すなわち、切欠き溝と係合溝の形状が違っている。支柱下端に開口２０を有す切欠き溝１８ａ、該切欠き溝１８ａの上端から垂直に屈曲して円周方向へ延びる切欠き溝１８ｂ、そして該切欠き溝１８ｂの先端から上方へ延びる切欠き溝１８ｃ、さらに該切欠き溝１８ｃの上端から屈曲して円周方向へ切欠き溝１８ｄを連続して形成している。そして、該切欠き溝１８ｄの先端からは係合溝１９が中心軸に沿って上方へ延びている。この切欠き溝と係合溝は前記図５に示したように軸を中心として対称に形成している。
【００２６】
すなわち、溝形状を概略コ形とし、切欠き溝１８ａからピン１３が嵌り、該ピン１３は上記切欠き溝１８ｂ，１８ｃ，１８ｄを通過して係合溝１９へ達する。中心軸に平行を成す係合溝１９に係合したピン１３は支柱２の回転を防止し、鋼管基礎３から外れることはない。このように、該支柱２の下端部にツバ１５を設けると共に切欠き溝と係合溝を形成することで、鋼管基礎３に嵌めるだけで抜けないように取付け出来、作業性は大きく向上する。
【符号の説明】
【００２７】
１  結線格子網
２  支柱
３  鋼管基礎
４  フック金具
５  フック
６  基部
７  ナット
８  横線材
９  縦線材
10  側面
11  ネジ部
12  上端
13  ピン
14  側壁
15  ツバ
16  切欠き溝
17  係合溝
18  切欠き溝
19  係合溝
20  開口
【図１】
2012036670.tif 000003
【図２】
2012036670.tif 000004
【図３】
2012036670.tif 000005
【図４】
2012036670.tif 000006
【図５】
2012036670.tif 000007
【図６】
2012036670.tif 000008
【図７】
2012036670.tif 000009